(57)【要約】【課題】縦積みして積載した最下部の建設資材やその下に位置する緩衝材及びパレットが破損することなく、荷台スペースの上方空間を十分に効率良く利用しながら、縦積みして積載した建設資材を安定した状態で安全に運搬することを提供すること。【解決手段】長尺枠１０と短尺枠１１とを組合せた四角形の枠体からなるパレット１２を積載する水平方向部材２と、該水平方向部材２の両端と連結して該水平方向部材２を所定の高さ位置に支持する垂直方向部材４とを具備したラックにおいて、前記水平方向部材２の上面に、その高さＴが前記パレット１２の短尺枠１１の厚さＵ以下で、且つ、該短尺枠１１の幅Ｍと略同等の長さの間隔Ｌをあけて対向配置させた一対以上の突起物７を固定したことを特徴とするパレット２段積みラック１。【選択図】　　　図１
2004083143.tif 000002
【特許請求の範囲】
【請求項１】
長尺枠と短尺枠とを組合せた四角形の枠体からなる所定のパレットを積載する水平方向部材と、該水平方向部材の両端と連結して該水平方向部材を所定の高さ位置に支持する垂直方向部材とを具備したラックにおいて、
前記水平方向部材の上面に、その高さが前記パレットの短尺枠の厚さ以下で、且つ、該短尺枠の幅と略同等の長さの間隔をあけて対向配置させた一対以上の突起物を固定したことを特徴とするパレット２段積みラック。
【発明の詳細な説明】
【０００１】
【発明の属する技術分野】
本発明は、ラックに関し、特に所定のパレットに積載した建設資材を支持し運搬するときに利用するパレット２段積みラックに関するものである。
【０００２】
【従来の技術】
従来からブロックやパネル等の建設資材を建設現場等へ運搬する際、建設資材の耐破損性や運搬の安全性等の理由から、前記建設資材の下面には緩衝材が敷かれており、また、該緩衝材の下面にはフォークリフト等の専用クレーンを用いて積み下ろしを容易に行うことができるように、専用のパレットが置かれている。このようにすることで、建設資材を破損させることなく、安全に効率良く、建設現場等への運搬を行ってきた。
【０００３】
また、図１３に示すように、トラック等の輸送手段の荷台スペース１４の効率性や運搬経済性等を考慮して、同種または異種の建設資材１５同士を垂直方向に縦積みして前記荷台スペース１４に積載することで、該荷台スペース１４の有効利用を行い、その縦積みして積載した建設資材１５と緩衝材１３とパレット１２とをロープや所定のバンド１６等で一纏めに結束して前記建設資材１５の安全性を確保して、効率良く前記建設資材１５を運搬することもしばしばあった。
【０００４】
【発明が解決しようとする課題】
しかしながら、縦積みして積載した最下部の建設資材１５やその下に位置する前記緩衝材１３又は前記パレット１２の破損や、縦積みして積載した前記建設資材１５の不安定さも懸念されるため、縦積みして積載する前記建設資材１５には数量制限（重量制限）があり、例えば、大きさにもよるが、建設パネルでは最大８枚までしか縦積みすることができないために、前記荷台スペース１４の上方に余剰空間ができ、前記荷台スペース１４を有効に利用することができず、非効率的な運搬になってしまう恐れがあった。
【０００５】
本発明は、上記課題に鑑みてなされたものであり、縦積みして積載した最下部の建設資材１５やその下に位置する前記緩衝材１３及び前記パレット１２が破損することなく、前記荷台スペース１４の上方空間を十分に効率良く利用しながら、縦積みして積載した前記建設資材１５を安定した状態で、安全に運搬することを技術課題とするものである。
【０００６】
【課題を解決するための手段】
上記技術課題を解決するための手段は、次の通りである。すなわち、請求項１に記載するパレット２段積みラックは、長尺枠と短尺枠とを組合せた四角形の枠体からなる所定のパレットを積載する水平方向部材と、該水平方向部材の両端と連結して該水平方向部材を所定の高さ位置に支持する垂直方向部材とを具備したラックにおいて、前記水平方向部材の上面に、その高さが前記パレットの短尺枠の厚さ以下で、且つ、該短尺枠の幅と略同等の長さの間隔をあけて対向配置させた一対以上の突起物を固定したことを特徴とするものである。
【０００７】
【発明の実施の形態】
以下、本発明の実施形態に係るパレット２段積みラック１を図面に基づいて説明する。本発明の実施の形態に係るパレット２段積みラック１は、図１に示すように、水平方向部材２と、該水平方向部材２同士を連結する水平方向連結部材３と、前記水平方向部材２の両端と連結している垂直方向部材４と、該垂直方向部材４同士を連結する垂直方向連結部材５と、前記垂直方向部材４の下部に連結している支持部材６と、突起物７とを具備しており、前記突起物７は、前記水平方向部材２と前記水平方向連結部材３の双方の上面に固定している。以下、図面に基づいて更に詳細に説明する。
【０００８】
前記水平方向部材２は、図１に示すように、所定のパレットを積載するための断面が矩形形状の長尺角柱であって、材質は金属製のものが好ましい。また、その長さは特に制限はないが、本実施の形態に係るパレット２段積みラック１の組み立てや所定のパレットの大きさ等を考慮して、２ｍ前後の長さが好適である。また、ここでは、前記水平方向部材２の数量は、一対つまり２本であるが、前記水平方向部材２の数量、形状、材質、大きさは、必ずしもこれに限定されるものではなく、所定のパレットやトラック等の輸送手段の荷台スペース並びに建設資材等の形状や大きさを考慮して、適度な形状、材質、大きさ、数量を種々選択して使用することが可能である。また、図示していないが、前記水平方向部材２は伸縮自在な構造を有していても良い。
【０００９】
前記垂直方向部材４は、図１に示すように、断面が矩形形状の長尺角柱であって、その長さは、縦積みする建設資材全体の垂直方向の長さよりも長く、前記建設資材の種類にもよるが、１ｍ前後の長さが好適である。また、ここでは、前記垂直方向部材４の数量は、二対つまり４本であるが、前記垂直方向部材４の数量、形状、材質、大きさは、必ずしもこれに限定されるものではなく、所定のパレットやトラック等の輸送手段の荷台スペース並びに建設資材等の形状や大きさを考慮して、適度な形状、材質、大きさ、数量を種々選択して使用することが可能である。また、図示していないが、前記垂直方向部材４は伸縮自在な構造を有していても良い。
【００１０】
前記水平方向連結部材３は、一対の前記水平方向部材２の各水平方向部材２同士を一定間隔で連結させるためのもので、図１に示すように、前記水平方向部材２同士の対面する面同士と連結している。また、前記水平方向部材２と前記水平方向連結部材３の双方の上面に対向配置された一対の前記突起物７の各突起物７同士の所定の間隔（隙間）に、所定のパレットの構成要素である短尺枠を嵌合させることができるように、前記水平方向連結部材３同士は所定の間隔を隔てている。つまり、前記水平方向連結部材３は、一対の前記水平方向部材２同士の間に、複数個を所定の間隔で前記水平方向部材２と直交する方向に梯子状に配置させて、一対の前記水平方向部材２を連結させている。
【００１１】
前記垂直方向連結部材５は、一対の前記垂直方向部材４の各垂直方向部材４同士を一定間隔で連結させるためのもので、図１に示すように、前記垂直方向部材４同士の対面する面同士と適度な間隔で連結している。つまり、前記垂直方向連結部材５は、一対の前記垂直方向部材４の各垂直方向部材４同士の間に、複数個を適度な間隔で前記垂直方向部材４と直交する方向に梯子状に配置させて、一対の前記垂直方向部材４の各垂直方向部材４を連結させている。
【００１２】
また、図１に示すように、前記垂直方向部材４は前記水平方向部材２の両端と直交するように溶接にて連結され、一対の前記水平方向部材２を所定の高さ位置に支持しているが、その連結手段や連結方法については特に制限はない。
【００１３】
一方、前記垂直方向部材４の下部には、図１に示すように、前記支持部材６が連結している。該支持部材６は、前記垂直方向部材４を安定して荷台スペース等に垂設して支持するためのものであり、支持部材本体８と補助支持部材９とから構成されている。前記支持部材本体８は、前記垂直方向部材４の前記水平方向部材２と連結していない側の他端と溶接にて垂直に連結しているが、より安定して前記垂直方向部材４を支持するために、前記補助支持部材９が、前記支持部材本体８の前記垂直方向部材４と連結している一面と、前記垂直方向部材４の各垂直方向部材４の外側を向いている各一面との双方に、溶接にて連結している。つまり、前記補助支持部材９を前記支持部材本体８と前記垂直方向部材４との間に配置し連結させることで、前記垂直方向部材４をより安定して支持している。ただし、前記垂直方向部材４が自身で荷台スペース等に安定して自立することができれば、前記支持部材６は設けなくても良い。また、図示していないが、前記支持部材本体８の底面には、本実施の形態に係るパレット２段積みラック１の滑り又は転倒防止を目的とした滑り止め部材又は転倒防止部材が固定されていても良い。
【００１４】
前記突起物７は、図１に示すように、前記水平方向部材２と前記水平方向連結部材３の双方の上面に、溶接にて所定の間隔をあけて対向配置されるように固定されているが、その固定手段は必ずしもこれに限定されることはない。また、ここでは、前記突起物７の数量は四対つまり８本であるが、一対以上であれば良い。前記突起物７の材質は金属製のものが良いが、必ずしもこれに限定されるものではない。また、図２に示すように、前記突起物７の形状、大きさ及び位置は、長尺枠１０と短尺枠１１を組合せた四角形の枠体からなる所定のパレット１２の形状や大きさ等を考慮して、対向配置された一対の前記突起物７の各突起物７同士の所定の間隔（隙間）Ｌに、前記パレット１２の前記短尺枠１１を嵌合させることができる形状、大きさ及び位置にする必要があるので、前記突起物７の高さＴは、前記短尺枠１１の厚さＵ以下で（Ｔ≦Ｕ）、且つ、対向配置された一対の前記突起物７の各突起物７同士の所定の間隔（隙間）Ｌは、前記短尺枠１１の幅Ｍと略同等の長さである（Ｌ≒Ｍ）。ここでは、前記突起物７の高さＴが前記短尺枠１１の厚さＵより短い三角柱形状のものを前記突起物７としているが、上記の条件を満たせば必ずしもこれに限定されることはなく、矩形形状等のものであっても良い。
【００１５】
また、本実施の形態に係るパレット２段積みラック１は、図３に示すように、単数の前記水平方向部材２、該水平方向部材２の両端と直交するように連結している二対の前記垂直方向部材４、該垂直方向部材４同士を連結する前記垂直方向連結部材５、前記垂直方向部材４の下部と連結している前記支持部材６及び前記水平方向部材２の上面に固定している対向配置された一対以上の前記突起物７を具備しているものであっても良く、図４に示すように、一対の前記水平方向部材２、該水平方向部材２同士を連結する前記水平方向連結部材３、前記水平方向部材２の両端と直交するように連結している前記垂直方向部材４、該垂直方向部材４の下部と連結している前記支持部材６及び前記水平方向部材２の上面に固定している対向配置された一対以上の前記突起物７を具備しているものであっても良く、また、図５に示すように、単数の前記水平方向部材２、該水平方向部材２の両端と直交するように連結している前記垂直方向部材４及び前記水平方向部材２の上面に固定している対向配置された一対以上の前記突起物７を具備しているものであっても良い。ただし、上述したように、前記突起物７の高さＴは、前記短尺枠１１の厚さＵ以下で（Ｔ≦Ｕ）、且つ、対向配置された一対の前記突起物７の各突起物７同士の所定の間隔（隙間）Ｌは、前記短尺枠１１の幅Ｍと略同等の長さでなければならない（Ｌ≒Ｍ）。つまり、本実施の形態に係るパレット２段積みラック１は、少なくとも、水平方向部材２と、該水平方向部材２の両端と連結して該水平方向部材２を所定の高さ位置に支持する垂直方向部材４と、前記水平方向部材２の上面に一対以上を対向配置させて固定した突起物７とを具備したものであって、前記突起物７が上述したＴ≦Ｕ、且つＬ≒Ｍの条件を満たすものであれば、どんな形状や大きさ等であっても良い。
【００１６】
次に、本実施の形態に係るパレット２段積みラック１の使用について、図面に基づいて説明する。本実施の形態に係るパレット２段積みラック１の２体を、まず、図６、図７に示すように、前記パレット１２の上面に緩衝材１３を介在させて縦積みして荷台スペース１４に積載した建設資材１５の全体を覆うように、適度な間隔を隔てて、前記荷台スペース１４に載置させる。ただし、本実施の形態に係るパレット２段積みラック１の数量は、特に制限はなく、前記パレット１２や前記荷台スペース１４並びに前記建設資材１５等の形状や大きさを考慮して、２体以上とすることが好ましい。また、ここでは、縦積みして積載した前記建設資材１５の全体の数量は２体としているが、前記パレット１２や前記荷台スペース１４並びに前記建設資材１５等の形状や大きさを考慮して、前記荷台スペース１４が許容する限りにおいて、何体も配置することが可能である。つまり、縦積みして積載した前記建設資材１５の全体の数量には特に制限はない。さらに、ここでは、前記パレット１２と、前記緩衝材１３と、縦積みして積載した前記建設資材１５の全体とをバンド１６で一纏めに結束し、前記建設資材１５の安全性を確保しているが、前記バンド１６については特に制限はない。
【００１７】
次に、図８、９及び１０に示すように、２体の本実施の形態に係るパレット２段積みラック１の位置を調節しながら、対向配置された一対の前記突起物７の各突起物７同士の所定の間隔（隙間）Ｌに、前記短尺枠１１を嵌合させることができるように、２体の前記パレット１２を本実施の形態に係るパレット２段積みラック１の上面に設置する。このとき、前記突起物７の高さＴは前記短尺枠１１の厚さＵ以下なので、前記突起物７は前記パレット１２を突き抜けることはない。また、ここでは、２体の前記パレット１２を本実施の形態に係るパレット２段積みラック１の上面に設置したが、本実施の形態に係るパレット２段積みラック１の上面に設置する前記パレット１２の数量は、既に縦積みして前記荷台スペース１４に積載した前記建設資材１５の全体の数量と同等の数量とすることが好ましい。
【００１８】
以上のように設置した前記パレット１２の上面に、図１１に示すように、前記緩衝材１３を敷き、該緩衝材１３の上面に前記建設資材１５を縦積みしながら積載し、安全のために、前記パレット１２と前記緩衝材１３と縦積みして積載した前記建設資材１５の全体をバンド１６で一纏めに結束する。その結果、図１２に示すように、前記荷台スペース１４の上方空間を十分に効率良く利用でき、また、前記パレット１２の前記短尺枠１１が、対向配置された一対の前記突起物７の各突起物７同士の所定の間隔（隙間）Ｌに嵌合しているので、本実施の形態に係るパレット２段積みラック１の上面に位置する前記パレット１２が前後左右の方向に不動となり、本実施の形態に係るパレット２段積みラック１の上面に位置する前記パレット１２の上面に、安全に且つ安定して前記建設資材１５を縦積みしながら積載することができる。また、所定の前記バンド１６で、前記パレット１２と前記緩衝材１３と縦積みして積載した前記建設資材１５の全体を一纏めに結束することで、前記建設資材１５等が個々に分離することなく、垂直方向の振動に対しても安全に且つ安定した状態で前記建設資材１５を運搬することができる。
【００１９】
また、図示していないが、前記水平方向部材２及び前記垂直方向部材４が伸縮自在な構造を有していた場合は、本実施の形態に係るパレット２段積みラック１が、水平及び垂直方向に伸縮するため、本実施の形態に係るパレット２段積みラック１の水平、垂直方向の大きさを調整することができるので、縦積みして荷台スペース１４に積載した建設資材１５の上部に、本実施の形態に係るパレット２段積みラック１を配置させることによって、その上面に前記パレット１２と前記緩衝材１３とを介在させて前記建設資材１５を縦積みして積載することができる。
【００２０】
【発明の効果】
以上説明したように、本発明の請求項１に係るパレット２段積みラックを、既に荷台スペースに縦積みして積載した建設資材を覆うように載置させることで、本発明の請求項１に係るパレット２段積みラックの上面に建設資材を縦積みして積載することができるので、荷台スペースの上方空間を無駄なく効率良く十分に使用することができ、その結果、輸送効率を向上させることができる。また、本発明の請求項１に係るパレット２段積みラックを所定の位置で使用することで、無理なく建設資材を縦積みすることができ、建設資材や所定のパレット等の破損も抑制される。さらに、本発明の請求項１に係るパレット２段積みラックの上面に位置するパレットの短尺枠が、対向配置された一対の突起物の各突起物同士の所定の間隔（隙間）に嵌合しているので、パレットやその上面に位置する縦積みして積載した建設資材が前後左右の方向にずれることなく、安全に且つ安定して建設資材を運搬することができる。加えて、本発明の請求項１に係るパレット２段積みラックの水平、垂直方向の大きさを調整することができるため、建設資材の種類に関係なく、任意の必要な建設資材を効率良く荷台スペースに縦積みして積載することができる。
【図面の簡単な説明】
【図１】本発明の実施の形態に係るパレット２段積みラックの概略構成を示す斜視図。
【図２】突起物とパレットの概略構成を示す斜視図。
【図３】本発明の実施の形態に係るパレット２段積みラックの概略構成を示す斜視図。
【図４】本発明の実施の形態に係るパレット２段積みラックの概略構成を示す斜視図。
【図５】本発明の実施の形態に係るパレット２段積みラックの概略構成を示す斜視図。
【図６】本発明の実施の形態に係るパレット２段積みラックを縦積みして積載した建設資材の全体を覆うように荷台スペースに載置したときの概略構成を示す正面図。
【図７】図６の概略斜視図。
【図８】本発明の実施の形態に係るパレット２段積みラックの上面にパレットを積載させるときの組み立て状態を示す説明図。
【図９】本発明の実施の形態に係るパレット２段積みラックの上面にパレットを積載させたときの概略構成を示す斜視図。
【図１０】パレットを突起物に吻合して嵌め込んだ状態の概略構成を示す拡大斜視図。
【図１１】本発明の実施の形態に係るパレット２段積みラックの上面に積載したパレットの上面に再び建設資材を縦積みして積載したときの概略構成を示す斜視図。
【図１２】図１１の概略正面図。
【図１３】荷台スペースに建設資材を縦積みして積載したときの概略構成を示す正面図。
【符号の説明】
１　パレット２段積みラック
２　水平方向部材
４　垂直方向部材
７　突起物
１０　長尺枠
１１　短尺枠
１２　パレット
１４　荷台スペース
１５　建設資材
Ｌ　対向配置された一対の突起物の各突起物同士の間隔（隙間）
Ｍ　短尺枠の幅
Ｔ　突起物の高さ
Ｕ　短尺枠の厚さ
【図１】
2004083143.tif 000003
【図２】
2004083143.tif 000004
【図３】
2004083143.tif 000005
【図４】
2004083143.tif 000006
【図５】
2004083143.tif 000007
【図６】
2004083143.tif 000008
【図７】
2004083143.tif 000009
【図８】
2004083143.tif 000010
【図９】
2004083143.tif 000011
【図１０】
2004083143.tif 000012
【図１１】
2004083143.tif 000013
【図１２】
2004083143.tif 000014
【図１３】
2004083143.tif 000015